【手続補正書】
【提出日】平成17年12月16日(2005.12.16)
【手続補正１】
【補正対象書類名】明細書
【補正対象項目名】発明の名称
【補正方法】変更
【補正の内容】
【発明の名称】トラッキングサーボ制御装置、及びトラッキングサーボ制御用プログラム
【手続補正２】
【補正対象書類名】明細書
【補正対象項目名】特許請求の範囲
【補正方法】変更
【補正の内容】
【特許請求の範囲】
【請求項１】  グルーブトラックとプリピットとが予め形成された記録媒体上の当該グルーブトラック上に光ビームを照射するためのトラッキングサーボ制御を行うトラッキングサーボ制御装置において、
前記グルーブトラック上への前記光ビームの照射範囲内に前記プリピットの少なくとも一部が形成されている場合における前記記録媒体からの反射光に基づいて第１再生信号を生成する第１生成手段と、
前記光ビームの照射範囲外に前記プリピットが形成されている場合における前記記録媒体からの反射光に基づいて第２再生信号を生成する第２生成手段と、
前記生成された第１再生信号及び第２再生信号に基づいて、前記トラッキングサーボ制御におけるオフセット値を演算する演算手段と、
を備えることを特徴とするトラッキングサーボ制御装置。
【請求項２】  請求項１のトラッキングサーボ制御装置において、
前記演算手段は、前記第１再生信号の振幅値と前記第２再生信号の振幅値との差が最小になるように、前記オフセット値を演算することを特徴とするトラッキングサーボ制御装置。
【請求項３】  請求項１または２のトラッキングサーボ制御装置において、
前記演算手段は、前記第１再生信号の下側ピーク値と前記第２再生信号の下側ピーク値との差が最小になるように、前記オフセット値を演算することを特徴とするトラッキングサーボ制御装置。
【請求項４】  請求項１乃至３のいずれか一項に記載のトラッキングサーボ制御装置において、
前記演算手段は、前記第１再生信号の上側ピーク値と前記第２再生信号の上側ピーク値との差が最小になるように、前記オフセット値を演算することを特徴とするトラッキングサーボ制御装置。
【請求項５】  請求項１乃至４のいずれか一項に記載のトラッキングサーボ制御装置において、
前記演算手段は、前記第１再生信号から得られた情報の誤り個数と前記第２再生信号から得られた情報の誤り個数とを加算した値が最小になるように、前記オフセット値を演算することを特徴とするトラッキングサーボ制御装置。
【請求項６】  グルーブトラックとプリピットとが予め形成された記録媒体上の当該グルーブトラック上に光ビームを照射するためのトラッキングサーボ制御を行うトラッキングサーボ制御装置において、
前記グルーブトラック上への前記光ビームの照射範囲内に、前記情報ピットと一の方向に隣接する前記プリピットの少なくとも一部が形成されている場合における前記記録媒体からの反射光に基づいて第１再生信号を生成する第１生成手段と、
前記光ビームの照射範囲内に、前記情報ピットの他の方向に隣接する前記プリピットの少なくとも一部が形成されている場合における前記記録媒体からの反射光に基づいて第２再生信号を生成する第２生成手段と、
前記生成された第１再生信号及び第２再生信号に基づいて、前記トラッキングサーボ制御におけるオフセット値を演算する演算手段と、
を備えることを特徴とするトラッキングサーボ制御装置。
【請求項７】  請求項６に記載のトラッキングサーボ制御装置において、
前記演算手段は、前記第１再生信号の振幅値と前記第２再生信号の振幅値との差が最小になるように、前記オフセット値を演算することを特徴とするトラッキングサーボ制御装置。
【請求項８】  請求項６または７に記載のトラッキングサーボ制御装置において、
前記照射範囲外に前記プリピットが形成されている場合における当該光ビームの当該記録媒体からの反射光に基づいて第３再生信号を生成する第３生成手段を更に備え、
前記制御手段は、前記第３再生信号の上側ピーク値と、前記第１再生信号の上側ピーク値と前記第２再生信号の上側ピーク値との平均値と、の差が最小になるように、前記オフセット値を演算することを特徴とするトラッキングサーボ制御装置。
【請求項９】  請求項６または７に記載のトラッキングサーボ制御装置において、
前記照射範囲外に前記プリピットが形成されている場合における当該光ビームの当該記録媒体からの反射光に基づいて第３再生信号を生成する第３生成手段を更に備え、
前記演算手段は、前記第３再生信号の下側ピーク値と、前記第１再生信号の下側ピーク値と前記第２再生信号の下側ピーク値との平均値と、の差の値が最小になるように、前記オフセット値を演算することを特徴とするトラッキングサーボ制御装置。
【請求項１０】  請求項８に記載のトラッキングサーボ制御装置において、
前記演算手段は、前記第３再生信号の下側ピーク値と、前記第１再生信号の下側ピーク値と前記第２再生信号の下側ピーク値との平均値と、の差が最小になるように、前記オフセット値を演算することを特徴とするトラッキングサーボ制御装置。
【請求項１１】  請求項６乃至１０のいずれか一項に記載のトラッキングサーボ制御装置において、
前記演算手段は、前記第１再生信号から得られたデータの誤り個数と前記第２再生信号から得られたデータの誤り個数とを加算した値が最小になるように、前記オフセット値を演算することを特徴とするトラッキングサーボ制御装置。
【請求項１２】  請求項１乃至１１のいずれか一項に記載のトラッキングサーボ制御装置において、
前記演算手段による前記オフセット値は、前記情報ピットが形成されるべき連続した領域に形成された前記情報ピットを用いて演算されることを特徴とするトラッキングサーボ制御装置。
【請求項１３】  請求項１乃至１２のいずれか一項に記載のトラッキングサーボ制御装置において、
前記演算手段による前記オフセット値は、前記記録媒体のリンキング領域に形成された前記情報ピットを用いて演算されることを特徴とするトラッキングサーボ制御装置。
【請求項１４】  請求項１乃至１３のいずれか一項に記載のトラッキングサーボ制御装置において、
前記演算手段による前記オフセット値は、前記光ビームの光量を調節するために予め定められた領域に形成された前記情報ピットを用いて演算されることを特徴とするトラッキングサーボ制御装置。
【請求項１５】  請求項１乃至１４のいずれか一項に記載のトラッキングサーボ制御装置において、
前記演算手段による前記オフセット値は、誤り検出訂正符号によって、誤り検出訂正が行われる前記情報ピットが形成される記録媒体の一領域に形成された前記情報ピットを用いて演算されることを特徴とするトラッキングサーボ制御装置。
【請求項１６】  請求項１乃至１５のいずれか一項に記載のトラッキングサーボ制御装置において、
前記情報ピットの形成パターンは一定であることを特徴とするトラッキングサーボ制御装置。
【請求項１７】  請求項１乃至１６のいずれか一項に記載のトラッキングサーボ制御装置において、
前記情報ピットは、誤り検出訂正符号を伴って記録された情報の記録に用いられた情報ピットであり、前記情報ピットの前記記録媒体上の位置は、前記誤り検出訂正符号によって特定されることを特徴とするトラッキングサーボ制御装置。
【請求項１８】  グルーブトラックとプリピットとが予め形成された記録媒体上の当該グルーブトラック上に光ビームを照射するためのトラッキングサーボ制御を行うトラッキングサーボ制御装置において、
前記グルーブトラック上への前記光ビームの照射範囲内に前記プリピットの少なくとも一部が形成されている場合における前記記録媒体からの反射光に基づいて再生信号を生成する生成手段と、
前記トラッキングサーボ制御におけるオフセット値を変更しながら各オフセット値における前記再生信号を取得し、信号特性が最良となる前記オフセット値を検索する検索手段と、
を備えることを特徴とするトラッキングサーボ制御装置。
【請求項１９】  前記検索手段は、前記再生信号の振幅変動が最小となる前記オフセット値、または前記再生信号のエラー発生数が最少となる前記オフセット値を検索することを特徴とする請求項１８に記載のトラッキングサーボ制御装置。
【請求項２０】  グルーブトラックとプリピットとが予め形成された記録媒体上の当該グルーブトラック上に光ビームを照射するためのトラッキングサーボ制御を行うトラッキングサーボ制御装置に含まれるコンピュータを、
前記グルーブトラック上への前記光ビームの照射範囲内に前記プリピットの少なくとも一部が形成されている場合における前記記録媒体からの反射光に基づいて第１再生信号を生成する第１生成手段、
前記光ビームの照射範囲外に前記プリピットが形成されている場合における前記記録媒体からの反射光に基づいて第２再生信号を生成する第２生成手段、及び、
前記生成された第１再生信号及び第２再生信号に基づいて、前記トラッキングサーボ制御におけるオフセット値を演算する演算手段、
として機能させることを特徴とするトラッキングサーボ制御用プログラム。
【請求項２１】  グルーブトラックとプリピットとが予め形成された記録媒体上の当該グルーブトラック上に光ビームを照射するためのトラッキングサーボ制御を行うトラッキングサーボ制御装置に含まれるコンピュータを、
前記グルーブトラック上への前記光ビームの照射範囲内に、前記情報ピットと一の方向に隣接する前記プリピットの少なくとも一部が形成されている場合における前記記録媒体からの反射光に基づいて第１再生信号を生成する第１生成手段、
前記光ビームの照射範囲内に、前記情報ピットの他の方向に隣接する前記プリピットの少なくとも一部が形成されている場合における前記記録媒体からの反射光に基づいて第２再生信号を生成する第２生成手段、
前記生成された第１再生信号及び第２再生信号に基づいて、前記トラッキングサーボ制御におけるオフセット値を演算する演算手段、
として機能させることを特徴とするトラッキングサーボ制御用プログラム。
【手続補正３】
【補正対象書類名】明細書
【補正対象項目名】０００１
【補正方法】変更
【補正の内容】
【０００１】
【発明の属する技術分野】
本発明は、トラッキングサーボ制御装置、及びトラッキングサーボ制御用プログラムに関するものである。
【手続補正４】
【補正対象書類名】明細書
【補正対象項目名】０００５
【補正方法】変更
【補正の内容】
【０００５】
本発明が解決しようとする課題には、ＬＰＰとグルーブトラックを備えた光ディスクにおいて、正確な再生信号を得られるように、トラッキングオフセット値を設定するトラッキングサーボ制御装置、及びトラッキングサーボ制御用プログラムを提供することが一例としてあげられる。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】